(57)【要約】      （修正有）【課題】成型容易にして内面が平滑な木目模様付きＦＲＰ製の浴槽を得る。【解決手段】凸形の浴槽型の面に沿って、透明な樹脂層２、内ＦＲＰ層３、木材薄片４ａを敷き並べた木目層４、該木目層４を覆う外ＦＲＰ層５が順次積層され、これらが一体的に固着された所定形状の浴槽１を形成する。また、前記木目層４を浴槽１の上部に設けるとともに、浴槽１の底部から木目層４の下縁部に至る樹脂層２の内面に色付きゲルコート層６を設ける。【選択図】図２
0003142085.tif 000002
【実用新案登録請求の範囲】
【請求項１】
凸形の浴槽型（１０）の面に沿って、透明な樹脂層（２）、内ＦＲＰ層（３）、木材薄片（４ａ）を敷き並べた木目層（４）、該木目層（４）を覆う外ＦＲＰ層（５）が順次積層され、これらが一体的に固着されて所定形状の浴槽（１）に形成されてなることを特徴とする木目模様付きＦＲＰ製浴槽。
【請求項２】
木材薄片（４ａ）を檜材により形成してなることを特徴とする請求項１記載の木目模様付きＦＲＰ製浴槽。
【請求項３】
木目層（４）を浴槽（１）の上部に設けたことを特徴とする請求項１又は２記載の木目模様付きＦＲＰ製浴槽。
【請求項４】
木目層（４）を浴槽（１）の上部に設けるとともに、浴槽（１）の底部から前記木目層（４）の下縁部に至る樹脂層（２）の内面に色付きゲルコート層（６）を設けたことを特徴とする請求項３記載の木目模様付きＦＲＰ製浴槽。
【考案の詳細な説明】
【技術分野】
【０００１】
本考案は、ＦＲＰ（繊維強化プラスチック）製の浴槽に関し、特に木目模様を有するＦＲＰ製浴槽に関するものである。
【背景技術】
【０００２】
従来の技術として、印刷されたアクリル基板（透明樹脂板）を、着色した面が裏側となるようにして加熱及び真空成型して浴槽形状のアクリル成形品を形成し、該アクリル成形品を真空成型機から取り出してその裏面にＦＲＰ補強層を設けるようにしたものがあった。
【０００３】
前記従来のものは、アクリル成形品を真空成型機から取り外し、その裏面にＦＲＰ補強層を設けるようにしていたので、工数が増えるとともに、手数を要するものであった。
【特許文献１】特開２００５−１１１９６０号公報
【考案の開示】
【考案が解決しようとする課題】
【０００４】
本考案は、成型容易にして内面が平滑な木目模様付きＦＲＰ製浴槽を得ることを目的とする。
【課題を解決するための手段】
【０００５】
本考案は、前記目的を達成するために以下の如く構成したものである。即ち、請求項１に係る考案は、凸形の浴槽型の面に沿って、透明な樹脂層、内ＦＲＰ層、木材薄片を敷き並べた木目層、該木目層を覆う外ＦＲＰ層が順次積層され、これらが一体的に固着された所定形状の浴槽を得るようにしたものである。
請求項２に係る考案は、前記木材薄片を檜材により形成したものである。
請求項３に係る考案は、前記木目層を浴槽の上部に設けたものである。
請求項４に係る考案は、前記木目層を浴槽の上部に設けるとともに、浴槽の底部から前記木目層の下縁部に至る樹脂層の内面に色付きゲルコート層を設けたものである。
【考案の効果】
【０００６】
請求項１に係る考案は、凸形の浴槽型の面に沿って透明な樹脂層、内ＦＲＰ層、木目層、及び外ＦＲＰ層を順次積層することにより、木目模様を有する浴槽を成型したので、途中で型から取り外すことなく、一気に浴槽を成型することができ、木目模様を有するＦＲＰ製の浴槽が迅速に成型できる。
また、浴槽の内面をなす透明な樹脂層の表面は、型面に沿って形成されるので平滑となり、木材薄片による木目模様が樹脂層を通して明瞭に現れることとなり、外観がよくなる。
請求項２に係る考案は、檜による木目模様が樹脂層を通して明瞭に現れ、高品質の外観を得ることができる。
請求項３に係る考案は、木目層を浴槽の上部に設けたので、木材薄片の使用量及び敷設作業が低減するとともに、水面から露出する浴槽上部に木目模様が樹脂層を通して明瞭に現れ、外観がよくなる。
請求項４に係る考案は、浴槽内の上部に位置する木目層の下縁部が色付きゲルコート層で隠されるため、木目層の下縁部の敷設精度を簡略化し、該木材薄片の敷設作業を容易にしながら、外観をよくすることができる。
【考案を実施するための最良の形態】
【０００７】
以下本考案の実施例を図面に基いて説明する。図面において、図１は本考案の実施例を示す浴槽の斜視図、図２は図１の要部拡大断面図、図３は型による成型状態を示す要部拡大断面図である。
【０００８】
図１、図２において、１は木目模様付きＦＲＰ製の浴槽であり、平面視長方形の容器状に形成された浴槽主体部１ａと、該浴槽主体部１ａの上端から外方に向かって屈曲するフランジ部１ｂとを一体に有する。前記浴槽１は、透明な樹脂層２、内ＦＲＰ層３、木目層４、及び該木目層を覆う外ＦＲＰ層５が、内面から外面に向けて順次積層して形成されている。
【０００９】
前記木目層４は、檜材からなる木材薄片４ａを浴槽主体部１ａの上部、及びフランジ部１ｂに敷き並べて形成されている。前記浴槽主体部１ａの、木目層４から底部側に位置する内面に、色付きゲルコート層６が形成（塗布）され、該ゲルコート層６により前記木目層４の下縁部が隠され、木目層４の下縁部とゲルコート層６の上縁部との境界Ｌが線状となるようになっている。
【００１０】
前記浴槽１は、図３に示すように、凸形の浴槽型１０によって形成される。即ち、角形台形状の主体成型部１０ａと、該主体成型部１０ａの下縁部に溝形のフランジ成型部１０ｂとが一体に形成された浴槽型１０を設け、該浴槽型１０の全面、即ち、主体成型部１０ａの外面全面及びフランジ成型部１０ｂの内面全面にワックス等の離型剤を塗布した後、未硬化のアクリル樹脂からなる透明な樹脂２ａを塗布し、該樹脂２ａを硬化又は半硬化させた後、該樹脂２ａの上面全面に未硬化の内ＦＲＰ３ａを積層する。
【００１１】
次いで、前記主体成型部１０ａの下周部、及びフランジ成型部１０ｂの内面全面に存在する内ＦＲＰ３ａの上面に、檜をスライスした木材薄片４ａを敷き並べた後、該木材薄片４ａの上面全面に未硬化の外ＦＲＢ５ａを積層する。前記内ＦＲＰ３ａ及び外ＦＲＢ５ａは、本例では、ガラス繊維に不飽和ポリエステルを含浸させてなる。なお、前記木材薄片４ａは、主体成型部１０ａ、及びフランジ成型部１０ｂの全面に積層されている内ＦＲＰ３ａの上面全面に敷き並べるようにしてもよい。この場合には、前記外ＦＲＢ５ａを主体成型部１０ａ及びフランジ成型部１０ｂの全面に積層して前記木材薄片４ａの上面全面を被覆する。     
【００１２】
この状態で前記樹脂２ａ、内ＦＲＰ３ａ、及び外ＦＲＢ５ａを硬化させた後、これらを浴槽型１０から離型し、内面から外面に向かって、透明な樹脂層２、内ＦＲＰ層３、木目層４、及び外ＦＲＰ層５が一体的に固着された木目模様付きＦＲＰ製の浴槽１を得る。
【００１３】
なお、木材薄片４ａが浴槽１の上部、即ち、主体成型部１０ａの下周部、及びフランジ成型部１０ｂの内面全面に敷設されて形成された際には、図２に示すように、浴槽１の底部から木目層４の下縁部に至る樹脂層２の内面に、色付きのゲルコートを塗布して色付きゲルコート層６を形成する。これにより、該ゲルコート層６の上縁部により前記木目層４の下縁部を隠し、木目層４の下縁部とゲルコート層６の上縁部との間に線状の境界Ｌを形成する。
【００１４】
前記実施例によれば、凸形の浴槽型１０の面に沿って透明な樹脂層２、内ＦＲＰ層３、木目層４、及び外ＦＲＰ層５を順次積層して木目模様を有する浴槽１を成型することができるので、木目模様付きＦＲＰ製浴槽を迅速に成型することができる。
また、成型された浴槽１は、透明な樹脂層２の面が浴槽型１０によって形成されているので平滑となり、木材薄片４ａによる木目模様が樹脂層２を通して明瞭に現れることになる。
【００１５】
また、木目層４を浴槽１の上部に設け、浴槽１の底部から前記木目層４の下縁部に至る樹脂層２の内面に色付きゲルコート層６を設けたので、該色付きゲルコート層６によって前記木目層４の下縁部を線状に隠すことができ、木材薄片４ａの使用量及び敷設作業が低減するとともに、水面から露出する浴槽上部に木目模様が樹脂層２を通して明瞭に現れ、外観をよくすることができる。
【図面の簡単な説明】
【００１６】
【図１】本考案の実施例を示す浴槽の斜視図である。
【図２】図１の要部拡大断面図である。
【図３】型による成型状態を示す要部拡大断面図である。
【符号の説明】
【００１７】
１    木目模様付きＦＲＰ製の浴槽
１ａ  浴槽主体部
１ｂ  フランジ部
２    透明な樹脂層
２ａ  未硬化の樹脂
３    内ＦＲＰ層
３ａ  未硬化の内ＦＲＰ
４    木目層
４ａ  木材薄片
５    外ＦＲＰ層
５ａ  未硬化のＦＲＰ
６    色付きゲルコート層
１０    浴槽型
１０ａ  主体成型部
１０ｂ  フランジ成型部
【図１】
0003142085.tif 000003
【図２】
0003142085.tif 000004
【図３】
0003142085.tif 000005